(57)【特許請求の範囲】
【請求項１】
収穫物を搬送するフィーダの上向きの天板部に設けた開口から外部へ塵埃を排出するための排塵経路を形成するフードを備え、前記排塵経路に沿わせて塵埃を流動させるよう前記フードの内部に起風用の回転ファンを電動モータで駆動する電動軸流ファンを設けたコンバインの排塵装置であって、
前記フィーダの天板部の開口に対向する箇所の排塵経路におけるフードの上壁部を、前記フィーダの天板部に沿う状態で対向する平板状に形成し、
前記フードの上壁部から前記排塵経路に突出した円筒形状のファン支持体を備え、このファン支持体には、前記電動モータがファン支持体に内嵌され、かつ前記ファン支持体よりも大径の前記回転ファンがファン支持体の突出端部側で排塵経路内に位置する状態で前記電動軸流ファンを支持してあり、
前記電動軸流ファンの回転ファンは、前記フードの前記上壁部に対向する下壁部側に形成された吸塵口の周縁に設けた円筒状の送風ガイド内に位置する状態で配設され、
前記円筒状の送風ガイドは、前記回転ファンが存在する位置の外周側全域に案内用の周壁を備え、前記回転ファンが存在する位置よりも吸塵口の下縁から離れた上壁部側寄り箇所の周壁が、排塵経路の流れ方向における上手側では円弧状の周壁を備え、かつ排塵経路の流れ方向での下手側に相当する部位で開放されて風路を形成するように構成してあることを特徴とするコンバインの排塵装置。
【請求項２】
フィーダの天板部における開口と、前記開口よりも機体左右方向での内方側でフードを機体前後向きの揺動軸心周りで揺動開閉するための枢着手段とを備えた板金部材を、前記フィーダの天板部に着脱可能に装備し、前記板金部材を介して前記フードを、そのフードの下壁部側に形成された吸塵口がフィーダから離間した開き状態と、前記吸塵口が前記フィーダに対向した閉じ状態とに揺動開閉自在に枢支し、
前記フード側に形成される送風ガイドの下端部に前記板金部材の開口の周縁に接当してシールするシール材を装着してある請求項１記載のコンバインの排塵装置。
【発明の詳細な説明】
【技術分野】
【０００１】
本発明は、排塵経路を形成するフードと、前記排塵経路に沿わせて塵埃を流動させるよう前記フードの内部に設けた電動軸流ファンとを備えたコンバインの排塵装置に関する。
【背景技術】
【０００２】
上記した排塵装置として、従来、たとえば特許文献１に記載されたものがあった。
特許文献１に記載された排塵装置では、フィーダハウスの上面と側面に設けた上面フードと側面フードとによって形成された防塵フードを備え、上面フードの内部に設けた吸排塵ファンと電動モータとを備え、穀物ヘッダに発生する粉塵をファンにより吸引排出させる。
【０００３】
この種の排塵装置において、従来、電動軸流ファンの回転ファンの周囲に位置する風洞形の送風ガイドに、この送風ガイドからファン回転軸芯に向かって延出したモータ支持体を設け、このモータ支持体の延出端部に電動軸流ファンの電動モータを止着することにより、電動軸流ファンのフード内部への取り付けを行われていた。
【０００４】
【特許文献１】特開２００２−３４５３２０号公報(段落〔０００７〕、〔０００８〕、図１−５)
【発明の開示】
【発明が解決しようとする課題】
【０００５】
上記した従来の技術を採用することによって電動軸流ファンの取り付けを行うと、回転ファンの吸排作用によって流動する塵埃のモータ支持体への絡み付きが発生しやすくなっていた。
つまり、従来の技術を採用すると、モータ支持体が回転ファンと塵埃流動方向に並んで排塵経路に位置する。このため、モータ支持体を回転ファンの回転方向に適当間隔を隔てて並んで位置するアーム形に構成し、モータ支持体どうしの間隔が塵埃通路になってモータ支持体が塵埃流動の障害物にならないようにする必要があった。この結果、モータ支持体が細い棒状体になり、モータ支持体に稈屑や切れワラが絡み付きやすくなっていた。
【０００６】
本発明の目的は、塵埃の絡み付きを回避しやすいコンバインの排塵装置を提供することにある。
【課題を解決するための手段】
【０００７】
本第１発明は、収穫物を搬送するフィーダの上向きの天板部に設けた開口から外部へ塵埃を排出するための排塵経路を形成するフードを備え、前記排塵経路に沿わせて塵埃を流動させるよう前記フードの内部に起風用の回転ファンを電動モータで駆動する電動軸流ファンを設けたコンバインの排塵装置において、
前記フィーダの天板部の開口に対向する箇所の排塵経路におけるフードの上壁部を、前記フィーダの天板部に沿う状態で対向する平板状に形成し、
前記フードの上壁部から前記排塵経路に突出した円筒形状のファン支持体を備え、このファン支持体には、前記電動モータがファン支持体に内嵌され、かつ前記ファン支持体よりも大径の前記回転ファンがファン支持体の突出端部側で排塵経路内に位置する状態で前記電動軸流ファンを支持してあり、
前記電動軸流ファンの回転ファンは、前記フードの前記上壁部に対向する下壁部側に形成された吸塵口の周縁に設けた円筒状の送風ガイド内に位置する状態で配設され、
前記円筒状の送風ガイドは、前記回転ファンが存在する位置の外周側全域に案内用の周壁を備え、前記回転ファンが存在する位置よりも吸塵口の下縁から離れた上壁部側寄り箇所の周壁が、排塵経路の流れ方向における上手側では円弧状の周壁を備え、かつ排塵経路の流れ方向での下手側に相当する部位で開放されて風路を形成するように構成してあることを特徴とする。
【０００８】
本第１発明の構成によると、円筒形状のファン支持体を排塵経路に位置させて電動軸流ファンを支持させることになるが、塵埃がファン支持体の周囲を流動しやすい状態でファン支持体が排塵経路に位置する。さらに、ファン支持体が筒状であることにより、塵埃がファン支持体の周面をすべってファン支持体に付着しにくい。
【０００９】
従って、ファン支持体の塵埃付着による詰まりや流動不良が発生しにくくて排塵処理がスムーズに行われる排塵装置を得ることができる。
【００１０】
また、この発明では、前記ファン支持体が円筒形状を備えている。
【００１１】
この構成によると、ファン支持体が塵埃流動の障害物によりならないようにファン支持体の外径を極力小にしても、塵埃がファン支持体の周面をより滑りやすくてファン支持体への塵埃付着が発生しにくい。
【００１２】
従って、ファン支持体の小径化と塵埃付着の回避との両面から塵埃がスムーズに流動して塵埃排出をより能率よく行わせることができる。
【００１３】
本第２発明では、フィーダの天板部における開口と、前記開口よりも機体左右方向での内方側でフードを機体前後向きの揺動軸心周りで揺動開閉するための枢着手段とを備えた板金部材を、前記フィーダの天板部に着脱可能に装備し、前記板金部材を介して前記フードを、そのフードの下壁部側に形成された吸塵口がフィーダから離間した開き状態と、前記吸塵口が前記フィーダに対向した閉じ状態とに揺動開閉自在に枢支し、
前記フード側に形成される送風ガイドの下端部に前記板金部材の開口の周縁に接当してシールするシール材を装着してある。
【００１４】
本第２発明の構成によると、フードを揺動開放してその吸塵口を開けると、電動軸流ファンがフードに付いてフィーダから離間し、回転ファンをフードの吸塵口から点検や清掃できるように開放できる。
【００１５】
従って、フードを揺動開放するだけで回転ファンも開放してその点検や清掃を楽に行うことができる。
【発明を実施するための最良の形態】
【００１６】
以下、本発明の実施例を図面に基づいて説明する。
図１は、本発明の実施例に係るコンバインの全体の左側面図である。図２は、本発明の実施例に係るコンバインの全体の右側面図である。図３は、本発明の実施例に係るコンバインの全体の平面図である。これらの図に示すように、本発明の実施例に係るコンバインは、左右一対のクローラ式走行装置１，１によって自走し、かつ運転座席２ａが装備された運転部２を有した走行機体と、この走行機体の機体フレーム３の後部側に設けた脱穀機４と、この脱穀機４の横側に設けた袋詰めタンク１１が装備された穀粒袋詰め部１０と、前記脱穀機４の前部にフィーダ２１が連結された刈取り部２０とを備えて構成してある。
【００１７】
このコンバインは、稲、麦などを収穫する。
すなわち、刈取り部２０は、前記フィーダ２１を備える他、このフィーダ２１の前端部に連結された刈取りフレーム２２と、この刈取りフレーム２２の前端部の両横側に設けたデバイダ２３と、前記刈取りフレーム２２にこれのプラットホーム部２２ａの前端部に配置して駆動自在に設けたバリカン形の刈取り装置２４と、前記刈取りフレーム２２に前記刈取り装置２４の後方近くで、かつ前記プラットホーム部２２ａの上面側に配置して駆動回転自在に設けたオーガ２５と、前記刈取りフレーム２２の基端側の上部から前方向きに延出している左右一対の支持アーム２６，２６に駆動回転自在に支持された回転リール２７とを備えて構成してある。
【００１８】
前記刈取り部２０は、前記フィーダ２１が油圧シリンダ２８によって機体横向きの昇降軸芯Ｐまわりに脱穀機４に対して上下に揺動操作されることにより、刈取りフレーム２２の前記プラットホーム部２２ａが地面近くに下降した下降作業状態と、刈取りフレーム２２が地面から高く上昇した上昇非作業状態とに昇降する。刈取り部２０を下降作業状態にして走行機体を走行させると、刈取り部２０は、植立穀稈の刈取り処理と、刈取り穀稈の脱穀機４への供給とを行う。
【００１９】
すなわち、左右一対のデバイダ２３，２３によって植立穀稈を刈取り対象と非刈取り対象とに分草し、刈取り対象の植立穀稈を、回転リール２７によって刈取り装置２４に掻き込みながらこの刈取り装置２４によって刈り取る。刈取り穀稈をオーガ２５の両端側に位置する螺旋プレート２５ａによってプラットホーム部２２ａに沿わせてフィーダ２１の前方に横送りする。フィーダ２１の前方に至った刈取り穀稈を、オーガ２５の中間に一体回転自在に設けてある搬送アーム２５ｂの掻き送りによってオーガ２５の後側に位置するフィーダ２１の入り口２１ａ（図４参照）に送り込む。フィーダ２１に入り込んだ刈取り穀稈を、フィーダ２１の内部に位置するコンベヤ２９によってフィーダ２１の内部を後方に搬送する。フィーダ２１の後端部に至った刈取り穀稈の株元から穂先までの全体を前記コンベヤ２９の掻き送り作用によって脱穀機４の扱室（図示せず）に投入する。
【００２０】
脱穀機４は、扱室に投入された刈取り穀稈を回転する扱胴４ａによって脱穀処理する。
【００２１】
図２に示すように、前記穀粒袋詰め部１０は、前記袋詰めタンク１１を備える他、この袋詰めタンク１１の下部に位置する吐出筒１２に装着された穀粒袋の上端側を袋支持杆１３によって支持し、この穀粒袋の下端側を袋受けデッキ１４によって支持する袋支持部を備えている。
【００２２】
袋詰めタンク１１は、脱穀機４の選別部（図示せず）からの脱穀粒を揚穀装置１５（図２参照）によって供給されて貯留し、貯留した脱穀粒を前記吐出筒１２から穀粒袋に排出する。
【００２３】
図２，３に示すように、穀粒袋詰め部１０は、前後一対の作業補助具１６，１６を備えている。各作業補助具１６は、図２と図３に実線で示す如く袋支持部から走行機体横外側に突出した下降使用姿勢と、図２に二点鎖線で示す如く袋詰めタンク１１の上方に位置した上昇格納姿勢とに揺動切り換えできるよう支持されている。各作業補助具１６は、下降使用姿勢に切り換えることにより、袋受けデッキ１４の上面からの高さＨが１．０〜１．１ｍとなった配置高さに位置し、穀粒袋詰め部１０に袋詰め作業のために搭乗した作業者が腰当て部材として使用できる。
【００２４】
図１，３に示すように、前記刈取り部２０は、前記フィーダ２１に設けたフード３１が装備された排塵装置３０を備えている。
【００２５】
図４は、前記排塵装置３０の縦断側面図である。図５は、前記排塵装置３０の正面図である。図７は、前記排塵装置３０の縦断正面図である。図８は、前記排塵装置３０の斜視図である。これらの図に示すように、前記排塵装置３０は、前記フード３１を備える他、このフード３１の走行機体横方向での一端側の内部に設けた電動軸流ファン４０を備えて構成してある。
【００２６】
前記フード３１は、下壁部３１ａと、上壁部３１ｂと、下壁部３１ａと上壁部３１ｂとの全周にわたる側壁部３１ｃとを備えている。このフード３１は、下壁部３１ａと側壁部３１ｃとの一端側にわたって連結した送風ガイド３２を備えている。フード３１は、前記送風ガイド３２によってフィーダ２１の天板部２１ｂに向かった吸塵口３３を形成し、下壁部３１ａの他端側に連結された筒状体によって地面に向かった排塵口３４を形成し、前記吸塵口３３と前記排塵口３４と連通させた排塵経路３５を内部に形成している。
【００２７】
前記電動軸流ファン４０は、電動モータ４１と、この電動モータ４１の出力軸４１ａに一体回転自在に取り付けた回転ファン４２とを備えて構成してある。すなわち、電動軸流ファン４０は、回転ファン４２が電動モータ４１によって駆動されて風を発生させ、発生する風が回転ファン４２の羽列を通るよう作動する。この電動軸流ファン４０は、前記回転ファン４２が前記吸塵口３３に位置した配置になっている。
【００２８】
つまり、排塵装置３０は、回転ファン４２を電動モータ４１によって回転駆動し、刈取りフレーム２２にて発生した粉塵や稈屑などの塵埃を機体上方向きに拡散しないように排出する。
すなわち、回転ファン４２による吸引力を前記フィーダ２１の天板部２１ｂに設けた円形の開口５０を介してフィーダ２１の内部に作用させ、刈取りフレーム２２で発生した塵埃をフィーダ２１に前記入り口２１ａから吸引し、フィーダ２１に流入した塵埃を前記開口５０からフード３１に吸引する。フード３１に流入した塵埃を回転ファン４２による送風によって排塵経路３５に沿わせて排塵口３４に流動させ、この排塵口３４から機体下方向きに排出する。このとき、排塵口３４から垂下されたゴム板製の防振カバー３６によって塵埃の飛散を防止する。
【００２９】
前記電動軸流ファン４０は、前記フード３１にこれの上壁部３１ｂから前記排塵経路３５に突出させて設けたファン支持体６０に取り付けてある。
【００３０】
すなわち、前記ファン支持体６０を、外周面６１が円筒周面になって、塵埃がファン支持体６０の周囲を容易に流動するとともにファン支持体６０の外周面６１を滑るよう筒状に形状し、ファン支持体６０の突出端部に筒状のモータ連結部６２を備えてある。
【００３１】
図７、図９に示すように、前記モータ連結部６２は、モータ孔６３を有したモータ連結板６４を備えており、電動モータ４１の回転ファン４２が連結している側とは反対側の端部４１ｂが前記モータ孔６３からモータ連結部６２に内嵌した状態にし、電動モータ４１が備えている取付けフランジ４３と前記モータ連結板６４とに装着した複数本の連結ボルト６５によって電動モータ４１をモータ連結板６４に脱着自在に止着している。
【００３２】
図７に示すように、前記フード３１は、これの前記排塵口３４が位置する側とは反対側の横端部に設けた枢着手段５１を介してフィーダ２１の天板部２１ｂに支持されており、前記枢着手段５１が有する走行機体前後向きのフード開閉軸芯Ｘまわりにフィーダ２１に対して上下揺動する。
【００３３】
図５と図７とは、フード３１の下降閉じ状態を示している。これらの図に示すように、フード３１は、前記フード開閉軸芯Ｘまわりに下降操作されると、前記送風ガイド板３２の下端部に取り付けたシール材３７によって、フィーダ２１の天板部２１ｂのうちの前記開口５０と前記枢着手段５１を形成する板金部材５２を備えている部位に当接した閉じ状態になる。すると、フード３１の前記吸塵口３３がフィーダ２１の開口５０に対向してフード３１がフィーダ２１に連通する。このとき、フィーダ２１とフード３１との間が、前記吸塵口３３の周囲で前記シール材３７によってシールされる。また、フード３１の前記排塵口３４とフィーダ２１の横板部２１ｃとにわたって設けたロック手段７０を作用させることにより、フード３１を下降閉じ状態に固定できる。
【００３４】
図６は、フード３１の上昇開き状態での正面図である。この図に示すように、フード３１は、前記フード開閉軸芯Ｘまわりに上昇操作されると、前記送風ガイド３２がフィーダ２１の天板部２１ｂから上昇して吸塵口３３がフィーダ２１から離間した開き状態になる。すると、電動軸流ファン４０がフード３１に付いて上昇し、回転ファン４２が点検や清掃しやすいように吸塵口３３で開放した状態になる。このとき、前記板金部材５２がフィーダ２１の上面側に形成している支持ブラケット５６に支持されている支持杆５７を上昇揺動操作し、この支持杆５７の遊端部をフード３１が備える係止孔５８に装着する。すると、支持杆５７は、フード３１を突っ張り支持して上昇開き状態に維持する。
【００３５】
図１０は、前記枢着手段５１の平面図である。この図と図７と図８とに示すように、前記枢着手段５１は、前記板金部材５２の一部によって構成された枢支ブラケット５３と、この枢支ブラケット５３が備える前後一対のピンホルダ５４，５４に各別回転自在に内嵌するように構成してフード３１に設けた前後一対の連結ピン５５，５５とによって構成してある。
【００３６】
図９は、前記ロック手段７０の側面図である。この図と図７とに示すようには、前記ロック手段７０は、前記横板部２１ｃに設けたブラケット７１に支持された操作具７２と、この操作具７２に支持されたロックリング７３と、前記排塵口３４に設けたフック７４とを備えて構成してある。このロック手段７０は、フック７４に係止させたロックリング７３を操作具７２の揺動操作によってブラケット７１に引き寄せ固定することによってロック状態になる。
【００３７】
図１１は、第二実施構造のロック手段７０を備えた排塵装置３０の縦断正面図である。図１２は、第二実施構造を備えたロック手段７０の縦断側面図である。これらの図に示すように、第二実施構造のロック手段７０は、フード３１の前後側に設けてある。各ロック手段７０は、フード３１と、フィーダ２１の天板部２１ｂに設けた固定片７５とにわたってロックボルト７６が装着されることによってフード３１を下降閉じ状態に固定する。このロック手段７０は、前記ロックボルト７６が固定片７５から取り外されることによってフード３１の閉じ固定を解除する。
尚、図１１に示すフィーダ２１は、前記開口５０に設けた除塵網７７を備えている。
【００３８】
【００３９】
【図面の簡単な説明】
【００４０】
【図１】コンバインの全体の左側面図
【図２】コンバインの全体の右側面図
【図３】コンバインの全体の平面図
【図４】排塵装置の縦断側面図
【図５】排塵装置の正面図
【図６】フードの上昇開き状態での正面図
【図７】排塵装置の縦断正面図
【図８】排塵装置の斜視図
【図９】ロック手段の側面図
【図１０】枢着手段の平面図
【図１１】第二実施構造のロック手段を備えた排塵装置の縦断正面図
【図１２】第二実施構造のロック手段を備えた排塵装置の縦断側面図
【符号の説明】
【００４１】
２１        フィーダ
３１        フード
３１ａ      下壁部
３１ｂ      上壁部
３２        送風ガイド
３３        吸塵口
３５        排塵経路
３７        シール材
４０        電動軸流ファン
４１        電動モータ
４２        回転ファン
５０        開口
５１        枢着手段
５２        板金部材
６０        ファン支持体
【図１】
0004521018.tif 000002
【図２】
0004521018.tif 000003
【図３】
0004521018.tif 000004
【図４】
0004521018.tif 000005
【図５】
0004521018.tif 000006
【図６】
0004521018.tif 000007
【図７】
0004521018.tif 000008
【図８】
0004521018.tif 000009
【図９】
0004521018.tif 000010
【図１０】
0004521018.tif 000011
【図１１】
0004521018.tif 000012
【図１２】
0004521018.tif 000013